(57)【要約】【課題】デザインの連続性を確保しながら眼鏡残部とテンプルとを組み合わせられるようにし、眼鏡のデザインバリエーションを豊富にして眼鏡購入者の希望に応じた眼鏡が得られ易くなるようにする。【解決手段】一つまたは複数の眼鏡前部２と眼鏡前部２の左右に取り付けられる複数対のテンプル３とからなり、前記眼鏡前部２と前記テンプル３との連結部８において相対する眼鏡前部２のテンプル受け部９とテンプル３の眼鏡前部受け部１２とのそれぞれに、前記連結部８で連続する同一の意匠連続手段１１、１４を設けた。【選択図】    図１
2005351978.tif 000002
【特許請求の範囲】
【請求項１】
一つまたは複数の眼鏡前部と眼鏡前部の左右に取り付けられる複数対のテンプルとからなり、前記眼鏡前部と前記テンプルとの連結部において相対する眼鏡前部のテンプル受け部とテンプルの眼鏡前部受け部とのそれぞれに、前記連結部で連続する同一の意匠連続手段を設けたことを特徴とする眼鏡セット。
【発明の詳細な説明】
【技術分野】
【０００１】
本発明は眼鏡セットに関するもので、眼鏡の形態のバリエーションを豊富にすることができるものに関するものである。
【背景技術】
【０００２】
従来から眼鏡にあっては、眼鏡前部をフレームのフロント枠にレンズを装着したりフロント上枠とこの上枠に吊ったワイヤとで左右のレンズそれぞれを支持するなどの構成とし、そして、前記眼鏡前部の左右端から連続してこの眼鏡前部の裏面側に折り畳むことができるテンプルをフレームの左右部材から構成している。このようにフレームは眼鏡前部の一部分となりテンプルも含んでいて、眼鏡のデザインに大きな影響を与える部材となっていることから、フレームのデザイン設計においてそのフレームの眼鏡前部の部分のデザインとテンプルの部分のデザインとを別けることなく、全体として一つのデザインが創作されている。よって、一般的に一つのデザインによる眼鏡にはデザインのバリエーションがないのが現状である。
この点から、眼鏡前部とテンプルとを分離可能にして、その眼鏡前部とテンプルとの組み合わせの変更にてデザインバリエーションを有するようにした工夫が提案されている（特許文献１）。
【特許文献１】実開昭６０−２８７３４号公報
【発明の開示】
【発明が解決しようとする課題】
【０００３】
しかしながら、単に眼鏡前部とテンプルとが分離可能に設けて一つの眼鏡前部に対して互いに異なるデザインの複数種のテンプルを用意した眼鏡製品では、フレームにおける眼鏡前部からテンプルの部分に亘るデザインの連続性がなく、ちぐはぐなデザインによって却って商品性を損なうという不都合が生じるものであった。
そこで本発明は上記事情に鑑み、デザインの連続性を確保しながら眼鏡残部とテンプルとを組み合わせられるようにすることを課題とし、眼鏡のデザインバリエーションを豊富にして眼鏡購入者の希望に応じた眼鏡が得られ易くなるようにすることを目的とする。
【課題を解決するための手段】
【０００４】
本発明は上記課題を考慮してなされたもので、一つまたは複数の眼鏡前部と眼鏡前部の左右に取り付けられる複数対のテンプルとからなり、前記眼鏡前部と前記テンプルとの連結部において相対する眼鏡前部のテンプル受け部とテンプルの眼鏡前部受け部とのそれぞれに、前記連結部で連続する同一の意匠連続手段を設けたことを特徴とする眼鏡セットを提供して、上記課題を解消するものである。
【発明の効果】
【０００５】
本発明によれば、連結部において相対する眼鏡前部のテンプル受け部とテンプルの眼鏡前部受け部との両方に、同一の意匠連続手段が設けられて、その連続部でこれら意匠連続手段が連続するので、眼鏡前部とテンプルとを任意に組み合わせてもフレームがアンバランスなものとはならずに眼鏡全体の調和が損なわれないようになる。よって、眼鏡のデザインのバリエーションが豊富なものとなる。
【発明を実施するための最良の形態】
【０００６】
つぎに本発明を図１に示す実施の形態に基づいて詳細に説明する。
図中１は眼鏡セットで、該眼鏡セット１は眼鏡前部２とこの眼鏡前部２の左右に取り付けられることのできる複数対のテンプル３とからなるものである。前記眼鏡前部２は、この眼鏡前部２からテンプル３に亘るフレーム４におけるフロント枠５にレンズ６を装着してなるものであり、またフレーム４のつる７によってテンプル３が構成されていて、フレーム４におけるフロント枠５の左右端の位置を連結部８として眼鏡前部２とテンプル３とが区分されている。
なお、図においてテンプル３はそれぞれの対の片方のみを示している。
【０００７】
図示されているように上記眼鏡前部２の左右の側端にはテンプル受け部９が位置していて、このテンプル受け部９は平坦面にしてその平坦面の所定位置に差し込み穴１０を設けている。そして、前記テンプル受け部９の外表面側には、前記平坦面の外縁を所定形状にするとともにその外縁に連続する外表面形状を予め設定された曲面としてなる意匠連続手段１１が設けられている。また、この意匠連続手段１１には予め設定された色彩を有するものとしても構成されている。
一方、複数対のテンプル３はそれぞれ上記連結部８において上記眼鏡前部２のテンプル受け部９と相対する眼鏡前部受け部１２を有していて、先端にその眼鏡前部受け部１２を位置させている。眼鏡受け部１２はテンプル受け部９と合致するように平坦面にして上記差し込み穴１０に差し入れできる差し込み片１３を一体に備えてなるものであり、眼鏡前部２への取付固定に際してはこの差し込み１３を差し込み穴１０に差し入れて、テンプル受け部９と眼鏡前部２との平坦面を合わせ、そして、眼鏡前部２の背部側から差し込み片１３に到達する深さでビス止めするものとしている。
そして、テンプル３において眼鏡前部受け部１２における平坦面の外縁の形状をテンプル受け部９の平坦面の外縁の形状と同じにするとともにその外縁に連続する外表面形状をテンプル受け部９での外表面形状と同じに予め設定された曲面としてなる意匠連続手段１４が設けられており、眼鏡前部２での上記意匠連続手段１１と同一のものとし、テンプル３を連結部８において眼鏡前部２に取り付けたときにこの両方の意匠連続手段１１、１４が連続するように設けられているものである。また、この意匠連続手段１４は予め設定された色彩を有するものとしても構成され、その色彩は意匠連続手段１１の色彩と同じにしている。
【０００８】
このように眼鏡セット１において上記複数対のテンプル３それぞれは同一の上記意匠連続手段１４を有している。そのため、何れの一対のテンプル３を眼鏡前部２に組み合わせても連結部８の位置でデザインが大きく変わることがなく、眼鏡前部２からテンプル３にかけてデザインに連続性を有する眼鏡となるものである。
【０００９】
上記例の眼鏡セット１では眼鏡前部２を一つとしているが、テンプル受け部９側の意匠連続手段１１を同じにして他の部分のデザインが互いにことなる複数の眼鏡前部２を有するものであってもよい。また、上記例では連結部８の位置が、フレーム４でのヒンジ１５より前位であるが、本発明はこれに限定されるものではなく、ヒンジ１５の位置、また、ヒンジ１５より後位であってもよいものである。
【図面の簡単な説明】
【００１０】
【図１】本発明の眼鏡セットの一例を示す説明図である。
【符号の説明】
【００１１】
１…眼鏡セット
２…眼鏡前部
３…テンプル
４…フレーム
８…連結部
９…テンプル受け部
１０…差し込み穴
１１…意匠連続手段
１２…眼鏡前部受け部
１３…差し込み片
１４…意匠連続手段
【図１】
2005351978.tif 000003